(57)【要約】【課題】  本発明は、梱包された荷物を解くために、荷造りテープや紐をカッターナイフで切る時の、荷物の梱包テープを切るカッターナイフ支持治具を提供する。【解決手段】    当接ガイド盤とカッターホルダー部がブラケットを介して軸で一体的に結合されており、カッターホルダー部に装着されたカッターナイフはナイフ固定部でしっかりと固定し、ナイフ刃先が刃先ガイド孔を僅かに突き抜ける深さを見定めて調節して、当接ガイド盤を梱包荷物の荷造りテープや紐に当てがって、正確スムーズにカットするという形で使用され、非使用時には専用係着フックに掛け置いて収納することを特徴とする荷物の梱包テープを切るカッターナイフ支持治具。【選択図】図１
2019188087.tif 000002
【特許請求の範囲】
【請求項１】
直方体板材で成り、荷造りされた荷物のテープや紐の箇所に当てがってカットするための当接ガイド盤と、当接ガイド盤の片面における片方の長手縁際中央部から立ち上がったブラケットと、ブラケットを介して軸結合式に一体的に結合されたカッターホルダー部とから成るのであるが、  当接ガイド盤において、  ブラケット設置側の面（以後、これを上面、反対側を底面と称す）の長手中央線上の両端の各々一部域に直線を印してカットガイド線と成し、残りの長さ域が底面まで貫通した細長孔即ち刃先ガイド孔を成し、カットガイド線に沿った真裏側の底面に、梱包荷物の外郭角縁辺に当てがう９０°角度の角谷状の溝即ち外角縁辺合わせ溝が設けてあり、  ブラケットにおいて、  当接ガイド盤の上面長手縁辺と刃先ガイド孔との間に、両者に平行に、設置されており、上端域は幅サイズ一杯の直径になる半円弧状を成し、その円弧中心部に在る軸が、カッターホルダー部の一端を成す受けブラケット片を介してカッターホルダー部を取付けて一体的に結合する取付け軸となっており、刃先ガイド孔側を正面、反対の外側を背面とするが、  カッターホルダー部において、  背板片の左右の長手縁から連続延長的に、背板面に直交的な同一方向へ伸長し、更にその末端で左右対向的に数ミリ幅だけ曲がって庇状に張り出し、間隔をおいて向かい合う形のホールド片によって、開口のある囲われたスペース即ちコの字状のチャンネルが形成されており、背板のこちら側を正面とするが、背面側の中央域の適所には、外に現れている摘まみからチャンネル内部に突き抜けて伸びているネジ即ちナイフ固定部が設けてあり、  短手縁の一方側で、両端の一部域を除いた背板背面平坦面が、そのまま連続延長的に凡そブラケットの高さに近い長さだけ伸長し、末端域はブラケット上端域と同様の半円弧状に形成されて受けブラケット片を成し、この受けブラケット片の正面側をブラケットの背面側に重ね合わせて取付け軸で結合されており、これによってカッターホルダー部は１８０°以内で自在に軸回転が出来る形になっているのであって、  全体として斯様な構成体において、カッターホルダー部にカッターナイフを装着して、チャンネル内のナイフ固定部でカッターナイフをしっかりと固定し、ナイフ刃先が刃先ガイド孔を突き抜ける深さを見定めて調節して、当接ガイド盤の底面を梱包荷物の荷造りテープや紐に当てがって正確スムーズにカットするという形で使用されることを特徴とする荷物の梱包テープを切るカッターナイフ支持治具。
【請求項２】
矩形薄板状で、壁面に取付ける際に接地する裏面に固着手段を備えた取付け盤において、表面適所に、刃先ガイド孔の幅に楽に挿入できる数ミリ厚で上方に鉤フックが設けてあるフック体であって、発明本体を非使用時に壁に掛け置いて収納するために、付属的に使用される専用係着フックであることを特徴とする請求項１に記載の荷物の梱包テープを切るカッターナイフ支持治具。
【発明の詳細な説明】
【技術分野】
【０００１】  本発明は、梱包された荷物を解くために、荷造りテープや紐をカッターナイフで切る時の、荷物の梱包テープを切るカッターナイフ支持治具に関するものである。
【背景技術】
【０００２】  従来、梱包された荷物の荷造りテープや紐はカッターナイフを使って切り、荷物を解いていた。
【発明の概要】
【発明が解決しようとする課題】
【０００３】  そのため、次のような問題点があった。（イ）梱包された荷物の、蓋の合わせ面や角の部分に貼られた荷造りテープを切る時、手      がブレて蓋の合わせ面からカッターナイフの刃がズレてしまい、何回か切り直しを      することがある。（ロ）カッターナイフの刃を出しすぎて使用していると、刃が深く入って箱の中の荷物を      傷つけることがある。（ハ）カッターナイフの刃を出した状態で使用していると、ちょっとした不注意で手を切      る危険がある。  本発明は、これらの問題点を解決するためになされたものである。
【課題を解決するための手段】
【０００４】  約６０ミリ長さ×約３０ミリ幅×約５ミリ厚の直方体板材で成り、荷造りされた荷物の荷造りテープや荷造り紐の箇所に当てがってカットするための当接ガイド盤と、当接ガイド盤の片面における片方の長手縁際中央部から立ち上がったブラケットと、ブラケットを介して、軸結合式に一体的に結合されたカッターホルダー部とから成る。  当接ガイド盤において、  ブラケット設置側の面（以後、これを上面、反対側を底面と称す）の長手中央線上の両端の各々約１０ミリ域に直線を印してカットガイド線と成し、残りの約４０ミリ長さ域が底面まで貫通した約３ミリ幅の細長孔即ち刃先ガイド孔を成し、カットガイド線に沿った真裏側の底面に、梱包荷物の外郭角縁辺に当てがう９０°角度の角谷状の溝即ち外角縁辺合わせ溝が設けてある。  ブラケットにおいて、  当接ガイド盤の上面長手縁辺と刃先ガイド孔との間に、両者に平行に、約１５ミリ幅×約５ミリ厚×約２０ミリ高さで設置されており、上端域は幅サイズの直径になる半円弧状を成し、その円弧中心部に在る軸が、カッターホルダー部の一端を成す受けブラケット片を介してカッターホルダー部を取付けて一体的に結合する取付け軸となっており、刃先ガイド孔側を正面、反対の外側を背面とする。  カッターホルダー部において、  約６０ミリ長さ×約２５ミリ幅×約７ミリ厚で成る背板片の左右の長手縁から連続延長的に、約３ミリ厚×約１０ミリ幅で、背板面に直交的な同一方向へ伸長し、更にその末端で左右対向的に数ミリ幅だけ曲がって庇状に張り出し、こうして間隔をおいて向かい合う形のホールド片によって、開口のある囲われたスペース即ちコの字状のチャンネルが形成されており、背板のこちら側を正面とするが、背面側の中央域の適所には、外に現れている摘まみからチャンネル内部に突き抜けて伸びているネジ即ちナイフ固定部が設けてある。  短手縁の一方側で、両端の約５ミリ幅を除いた約１５ミリ幅×数ミリ厚で背板背面平坦面がそのまま約２０ミリ足らず連続延長的に伸長し、末端域はブラケット上端域と同様の半円弧状に形成されて受けブラケット片を成し、この受けブラケット片の正面側をブラケットの背面側に重ね合わせて取付け軸で結合されており、これによってカッターホルダー部は１８０°以内で自在に軸回転が出来る形になっている。  全体として斯様な構成体において、カッターホルダー部にカッターナイフを装着して、チャンネル内のナイフ固定部でカッターナイフをしっかりと固定し、ナイフ刃先が刃先ガイド孔を突き抜ける深さを見定めて調節して、当接ガイド盤の底面を梱包荷物の荷造りテープや荷造り紐に当てがって正確スムーズにカットするという形で使用される。  本発明を非使用時に壁に掛け置いて収納する際に用いられる専用係着フックが付属するが、専用係着フックは、矩形薄板状で、壁面に取付ける際に接地する裏面に固着手段を備えた取付け盤において、表面適所に、刃先ガイド孔の幅に楽に挿入できる数ミリ厚で上方に鉤フックが設けてある。  以上を特徴とする荷物の梱包テープを切るカッターナイフ支持治具である。
【発明の効果】
【０００５】（イ）梱包された荷物の荷造りテープを切る時、カッターナイフを本発明に装着すること      により、荷造りテープを当接ガイド盤で軽く押さえられるので、手元が安定して、      切り損じることがなくなる。（ロ）カッターナイフを本発明に装着した時、当接ガイド盤の底面からカッターナイフの      刃先を僅かに出すことにより、一定の深さで安定して荷造りテープを切ることがで      きるので、箱の中の荷物を傷つけることがなくなる。（ハ）カッターナイフの刃先が当接ガイド盤によってガードされているので、手を切る危      険がなくなる。
【図面の簡単な説明】
【０００６】
【図１】本発明の斜視図
【図２】本発明を背面側から見た斜視図
【図３】本発明の正面図
【図４】本発明の側面図
【図５】本発明にカッターナイフを取付けて使用している時の状態を、刃先ガイド孔を断面（Ａ−Ａ）にして分かりやすく示したイメージ図
【図６】本発明の使用状態を示した斜視図  （イ）荷造り紐を切る時  （ロ）梱包荷物の角に貼られた荷造りテープを切る時  （ハ）梱包荷物の蓋の合わせ面に貼られた荷造りテープを切る時
【図７】本発明を専用係着フックに掛け置いた状態を示す斜視図
【図８】本発明の一部である専用係着フックの斜視図
【発明を実施するための形態】
【０００７】  以下、本発明（Ｍ）の実施の形態と使用法を説明する。  約６０ミリ長さ×約３０ミリ幅×約５ミリ厚の直方体板材で成り、荷造りされた荷物の荷造りテープ（２０）や荷造り紐（１９）の箇所に当てがってカットするための当接ガイド盤（２）と、当接ガイド盤（２）の片面における片方の長手縁際中央部から立ち上がったブラケット（３）と、ブラケット（３）を介して、軸結合式に一体的に結合されたカッターホルダー部（１）とから成る。  当接ガイド盤（２）において、  ブラケット（３）設置側の面（以後、これを上面、反対側を底面と称す）の長手中央線上の両端の各々約１０ミリ域に直線を印してカットガイド線（４）と成し、残りの約４０ミリ長さ域が底面まで貫通した約３ミリ幅の細長孔即ち刃先ガイド孔（６）を成し、カットガイド線（４）に沿った真裏側の底面に、梱包荷物（１８）の外郭角縁辺に当てがう９０°角度の角谷状の溝即ち外角縁辺合わせ溝（９）が設けてある。  ブラケット（３）において、  当接ガイド盤（２）の上面長手縁辺と刃先ガイド孔（６）との間に、両者に平行に、約１５ミリ幅×約５ミリ厚×約２０ミリ高さで設置されており、上端域は幅サイズの直径になる半円弧状を成し、その円弧中心部に在る軸が、カッターホルダー部（１）の一端を成す受けブラケット片（８）を介してカッターホルダー部（１）を取付けて一体的に結合する取付け軸（５）となっており、刃先ガイド孔（６）側を正面、反対の外側を背面とする。  カッターホルダー部（１）において、  約６０ミリ長さ×約２５ミリ幅×約７ミリ厚で成る背板片（１０）の左右の長手縁から連続延長的に、約３ミリ厚×約１０ミリ幅で、背板面に直交的な同一方向へ伸長し、更にその末端で左右対向的に数ミリ幅だけ曲がって庇状に張り出し、こうして間隔をおいて向かい合う形のホールド片（１１）によって、開口のある囲われたスペース即ちコの字状のチャンネル（１２）が形成されており、背板のこちら側を正面とするが、背面側の中央域の適所には、外に現れている摘まみからチャンネル（１２）内部に突き抜けて伸びているネジ即ちナイフ固定部（７）が設けてある。  短手縁の一方側で、両端の約５ミリ幅を除いた約１５ミリ幅×数ミリ厚で背板背面平坦面がそのまま約２０ミリ足らず連続延長的に伸長し、末端域はブラケット（３）上端域と同様の半円弧状に形成されて受けブラケット片（８）を成し、この受けブラケット片（８）の正面側をブラケット（３）の背面側に重ね合わせて取付け軸（５）で結合されており、これによってカッターホルダー部（１）は１８０°以内で自在に軸回転が出来る形になっている。  全体として斯様な構成体において、カッターホルダー部（１）にカッターナイフ（１５）を装着して、チャンネル（１２）内のナイフ固定部（７）でカッターナイフ（１５）をしっかりと固定し、ナイフ刃先（１７）が刃先ガイド孔（６）を突き抜ける深さを見定めて調節して、当接ガイド盤（２）の底面を梱包荷物（１８）の荷造りテープ（２０）や荷造り紐（１９）に当てがって正確スムーズにカットするという形で使用される。  本発明（Ｍ）を非使用時に壁に掛け置いて収納する際に用いられる専用係着フック（Ｎ）が付属するが、専用係着フック（Ｎ）は、矩形薄板状で、壁面に取付ける際に接地する裏面に固着手段を備えた取付け盤（１３）において、表面適所に、刃先ガイド孔（６）の幅に楽に挿入できる数ミリ厚で上方に鉤フック（１４）が設けてある。  本発明（Ｍ）は以上の様な構成であり、以下その具体的な使用法を説明する。  本発明（Ｍ）を使用する時は、カッターナイフ（１５）の刃先（１７）を収納した状態で、カッターナイフ（１５）の先端が刃先ガイド孔（６）にかかる位置までカッターナイフ（１５）をカッターホルダー部（１）に装着し、ナイフ固定部（７）を締めてカッターナイフ（１５）を固定して、スライダー（１６）で刃先（１７）が当接ガイド盤（２）の底面より僅かに突き出るように調節する。  カッターナイフ（１５）の刃先（１７）を状況によって出し入れする時は、カッターホルダー部（１）を握ったままの状態でスライダー（１６）を操作することによって、刃先（１７）の出し具合を調節することができる。  梱包荷物（１８）を解く時において、  図６（イ）に示すように、荷造り紐（１９）を切る時は、荷造り紐（１９）に当接ガイド盤（２）を軽く押し当て、カッターナイフ（１５）を手前に引いて荷造り紐（１９）を切ることができる。  図６（ロ）に示すように、梱包荷物（１８）の角に貼られた荷造りテープ（２０）を切る時は、当接ガイド盤（２）の外角縁辺合わせ溝（９）を梱包荷物（１８）の角に合わせて、カッターナイフ（１５）を手前に引き、荷造りテープ（２０）と荷造り紐（１９）を同時に切ることができる。  図６（ハ）に示すように、梱包荷物（１８）の蓋の合わせ面に貼られた荷造りテープ（２０）を切る時は、当接ガイド盤（２）を荷造りテープ（２０）に軽く押し当て、当接ガイド盤（２）のカットガイド線（４）を、蓋の合わせ面に沿わせるようにしながらカッターナイフ（１５）を手前に引いて切ることができる。  荷造りテープ（２０）や荷造り紐（１９）を切るため、カッターナイフ（１５）を手前に引いて来た時、カッターホルダー部（１）を持つ手の角度が変わっても、取付け軸（５）によって当接ガイド盤（２）に結合されたカッターホルダー部（１）は、状況によって角度が変わるので、当接ガイド盤（２）は常に安定した状態で切断面を押さえることができる。  カッターナイフ（１５）の使用後は、スライダー（１６）で刃先（１７）を収納し、専用係着フック（Ｎ）の鉤フック（１４）に刃先ガイド孔（６）を引っ掛けて、カッターナイフ（１５）を本発明（Ｍ）に取付けた状態で壁に掛け置いて収納することができる。  カッターナイフ（１５）の刃先（１７）は当接ガイド盤（２）によってガードされているので、不注意で手を切る危険はなくなる。
【符号の説明】
【０００８】    １  カッターホルダー部    ２  当接ガイド盤    ３  ブラケット    ４  カットガイド線    ５  取付け軸    ６  刃先ガイド孔    ７  ナイフ固定部    ８  受けブラケット片    ９  外角縁辺合わせ溝  １０  背板片  １１  ホールド片  １２  チャンネル  １３  取付け盤  １４  鉤フック  １５  カッターナイフ  １６  スライダー  １７  刃先  １８  梱包荷物  １９  荷造り紐  ２０  荷造りテープ    Ｍ  本発明    Ｎ  専用係着フック
【図１】
2019188087.tif 000003
【図２】
2019188087.tif 000004
【図３】
2019188087.tif 000005
【図４】
2019188087.tif 000006
【図５】
2019188087.tif 000007
【図６】
2019188087.tif 000008
【図６−１】
2019188087.tif 000009
【図７】
2019188087.tif 000010
【図８】
2019188087.tif 000011